(57)【要約】【課題】小型に構成され、且つ携帯可能であって、首に掛けたストラップや身に着けた服装や腰に着けたベルト等に手軽に取り付けることにより、歩行や他の作業や娯楽を行ないながら、身体の各部をマッサージすることができるクリップ式バイブレータを提供する。【解決手段】モータ２の回転軸３に偏心錘４を固定してなる振動子５を設け、該振動子５を振動ケース６の内部に取付けると共に、振動ケース６にクリップ７を設け、振動ケース６とは別体に設けた操作ケース８に電池を取換え自在に内蔵し、該操作ケース８内の電子基板を振動ケース６内のモータ２に電線を介して接続するようにした。【選択図】図１
2009297613.tif 000002
【特許請求の範囲】
【請求項１】
モータの回転軸に偏心錘を固定してなる振動子を設け、該振動子を振動ケースの内部に取付けると共に、振動ケースにクリップを設け、振動ケースとは別体に設けた操作ケースに電池を取換え自在に内蔵し、該操作ケース内の電子基板を振動ケース内のモータに電線を介して接続するようにしたことを特徴とするクリップ式バイブレータ。
【請求項２】
操作ケースにストラップを取付け、該ストラップに振動ケースをクリップで取り付けるようにしたことを特徴とする請求項１記載のクリップ式バイブレータ。
【発明の詳細な説明】
【技術分野】
【０００１】
本発明は、小型のバイブレータを服装やストラップ等に取り付けることによって、身体の各部をマッサージすることができるクリップ式バイブレータに関する。
【背景技術】
【０００２】
従来から、背部や足部等の身体各部をマッサージするために、各種のマッサージ機が案出されてきたが、通常の使用形態としては室内に設置する構造であり、携行することによって常時使用できるように構成されたものではなかった。
【０００３】
そこで、近年になって、マッサージ機能を有するバイブレータを小型に構成することによって携行可能にしたものが案出されている。その例として、特許文献１には、キーホルダー等に吊り下げて携行可能にした携帯用バイブレータが記載されている。このバイブレータは、ツボ等を押圧するために少なくとも１つの突起部をケースに設け、バイブレーション用モータを回転することによって、ケースを振動させるようにしたものである。このバイブレータを使用する際、ケースを手で握って、突起部を身体のツボ等に押し当てながらモータを回転すると、突起部の振動がツボ等の身体部位をマッサージすることとなって血行を促進することが可能となる。
【０００４】
ところが、上記の特許文献１の携帯用バイブレータは、ケースの端部に吊り下げ用フックが設けられ、この吊り下げ用フックにキーホルダーを取り付けるようにしたものであるが、マッサージ機として使用するには、ケースを手で握って身体各部に押し当てる必要があり、歩行や他の作業を行いながらマッサージをするということが困難であった。
【０００５】
また、特許文献２には、電動式小型バイブレータの底面にマジックテープのフック面を設ける一方、身体に装着するベストの表面にマジックテープのループ面を設け、このベストを着用して、肩等の所望箇所に電動式小型バイブレータをマジックテープで固定することによって、電動式小型バイブレータの振動を身体に伝達するようにしたものである。
【０００６】
この特許文献２によれば、特許文献１のようにバイブレータを手で握っていなくても、肩等の身体部位をマッサージすることが可能となるが、身体に着用するベストを必要とし、またベストに設けたマジックテープの取付け面だけにしかバイブレータを取付けることができないという不都合があった。
【特許文献１】実用新案登録第３１０１１１５号公報
【特許文献２】特開平１０−２４８８９２号公報
【発明の開示】
【発明が解決しようとする課題】
【０００７】
本発明は上記の事情を解消すべくなされたものであり、小型に構成され、且つ携帯可能であって、首に掛けたストラップや身に着けた服装や腰に着けたベルト等に手軽に取り付けることにより、歩行や他の作業や娯楽を行ないながら、身体の各部をマッサージすることができるクリップ式バイブレータを提供することを目的とする。
【課題を解決するための手段】
【０００８】
上記の目的を達成するために、本発明の請求項１のクリップ式バイブレータは、モータの回転軸に偏心錘を固定してなる振動子を設け、該振動子を振動ケースの内部に取付けると共に、振動ケースにクリップを設け、振動ケースとは別体に設けた操作ケースに電池を取換え自在に内蔵し、該操作ケース内の電子基板を振動ケース内のモータに電線を介して接続するようにしたことを特徴とする。
【０００９】
また、本発明の請求項２のクリップ式バイブレータは、請求項１において、操作ケースにストラップを取付け、該ストラップに振動ケースをクリップで取り付けるようにしたことを特徴とする。
【発明の効果】
【００１０】
本発明のクリップ式バイブレータによれば、振動子を内蔵してなる振動ケースと電池を内蔵してなる操作ケースとが別体に構成されているため、振動ケースと操作ケースとを夫々小型に構成することが可能となり、また小型の振動ケースにクリップが設けられていることにより、この振動ケースを首に掛けたストラップや服装やベルト等に手軽に取り付けることが可能となり、また電源は電池であるため、歩行や他の作業や娯楽をしながら、所望の身体部位のマッサージを行うことが可能となる。
【００１１】
また、本発明のクリップ式バイブレータにおいて、操作ケースにストラップを取付け、首から吊り下げたストラップの両側に振動ケースをクリップで取り付けると、各振動ケースを両肩のツボ等の位置に合わせることができ、この状態で振動ケースを作動させると、振動ケースのバイブレーションが両肩のツボ等に伝達され、コリをほぐし、血行を促進することが可能となる。
【００１２】
さらに、本発明のクリップ式バイブレータは、首から吊り下げたストラップの両側に振動ケースをクリップで取り付けた場合、ベルト等に振動ケースをクリップで取り付けた場合、その外見は、マッサージ機を携帯しているものとは見えず、むしろファッショナブルであるため、従来のマッサージ機の使用感覚とは別なる新たな感覚で、本発明のマッサージ用バイブレータを身に着けた状態で外出し、又は行動することが可能となる。
【発明を実施するための最良の形態】
【００１３】
以下、本発明の実施例について図面を参照しながら説明する。
【実施例１】
【００１４】
本発明によるクリップ式バイブレータ１は、図２に示すように、モータ２の回転軸３に偏心錘４を固定してなる振動子５を設け、該振動子５を振動ケース６の内部に取付けると共に、振動ケース６の片面にクリップ７を設け、図１に示すように、振動ケース６とは別体に設けた操作ケース８に電池（不図示）を取換え自在に内蔵し、該操作ケース８内の電子基板（不図示）を振動ケース６内のモータ２に電線９ａ、９ｂを介して接続するようにしたものである。
【００１５】
このような本実施例のクリップ式バイブレータ１について詳細に説明する。本実施例のクリップ式バイブレータ１の単体構造は、図２に示すように、モータ受部６ａとモータ被せ部６ｂとからなる振動ケース６を備え、モータ受部６ａにはリブ１０が形成され、このリブ１０の凹形部１０ａにモータ２を嵌合すると共に、モータ被せ部６ｂを嵌め込むことによって、振動ケース６内にモータ２が固定された構造となる。
【００１６】
また、上記の振動ケース６においては、モータ被せ部６ｂの表面を微小深さだけへこませた凹面１２を形成し、この凹面１２に種々のデザインを施した化粧シール１３を固着して、その上面に透明カバー１４を固定した構成とすることにより、振動ケース６の外観をファッショナブルなデザインにすることが可能となる。また、化粧シール１３を他のデザインに交換することによって、様々なデザインを楽しむことが可能となる。
【００１７】
さらに、図２又は図３に示すように、上記の振動ケース６のモータ受部６ａの底面にクリップ７を設け、該クリップ７の両側のリブ７ａ、７ａに挿着した軸１５にスプリング１６を取り付けた構成とすることにより、この振動ケース６を服装の適宜箇所やベルト等にクリップ７で弾性的に挟持することが可能となるほか、図１（ａ）、（ｂ）に示すストラップ１１の適宜箇所に固定することが可能となる。
【００１８】
なお、図３（ａ）、（ｃ）に示すようにクリップ７の外側面には指先の滑り止めのための波形部１７ａが形成されている。また、クリップ７で服装やベルト等を挟んだ際の滑り止めとして、クリップ７の内側面に波形部１７ｂ（図２参照）が設けられ、モータ受部６ａの裏面に波形部１７ｃが設けられている。
【００１９】
また、本実施例のクリップ式バイブレータ１は、振動ケース６とは別体に操作ケース８を有する。この操作ケース８には、その端部にストラップ１１を取付けるための貫通孔１８が形成され、この貫通穴１８にストラップ１１を挿入して取付けたことにより、ストラップ１１に振動ケース６をクリップ７で取り付けることが可能となる。なお、ストラップ１１は、図１（ａ）、（ｂ）に示すようにストラップ止め１１ａを取り付けることによって、ストラップ１１の絞り位置を調整することが可能となる。
【００２０】
従って、図５に示すように、使用者が首から吊り下げたストラップ１１の両側に振動ケース６、６をクリップ７、７で取り付けると、各振動ケース６、６を両肩のツボ等の位置に合わせることができ、この状態で振動ケース６、６を作動させると、振動ケース６、６のバイブレーションが両肩のツボ等に伝達され、コリをほぐし、血行を促進することが可能となる。
【００２１】
さらに、本発明のクリップ式バイブレータ１は、首から吊り下げたストラップ１１の両側に振動ケース６、６をクリップ７、７で取り付けた場合、また、使用者のズボンやスカートのベルト等に振動ケース６をクリップ７で取り付けた場合、その外見は、マッサージ機を携帯しているとは見えず、むしろファッショナブルであり、従来のマッサージ機の使用感覚とは別なる新たな感覚でバイブレータ１を身に着けた状態で外出し、又は行動することが可能となる。
【００２２】
また、図４（ａ）〜(ｃ)に示す操作ケース８の内部には不図示の電池が取換え自在に設けられ、さらに操作ケース８の内部には振動ケース６のモータ２の回転速度を制御し、またスイッチのオン・オフを制御する電子基板（不図示）が内蔵され、操作ケース８の外面に各種のスイッチ１９が設けられている。
【００２３】
また、本実施例においては、図４に示すように、操作ケース８に２個のミニプラグ差込口２０ａ、２０ｂを設け、各ミニプラグ差込口２０ａ、２０ｂを操作ケース８に内蔵した電子基板（不図示）に接続すると共に、図１（ａ）、（ｂ）に示すように、２個の振動ケース６の各モータ２に接続した電線９ａ、９ｂにミニプラグ２１ａ、２１ｂを接続し、各ミニプラグ２１ａ、２１ｂを操作ケース８のミニプラグ差込口２０ａ、２０ｂに接続することによって、２個の振動ケース６を操作ケース８に着脱自在に取付けることが可能とされている。なお、操作ケース８に設けるミニプラグ差込口２０ａ、２０ｂ及び振動ケース６の使用数は、本実施例において２個ずつとしてあるが、１個ずつでもよく、また２個以上とすることも可能である。
【００２４】
本発明によるクリップ式バイブレータ１を使用するには、図５に示すように、使用者が首から吊り下げたストラップ１１の両側に振動ケース６、６をクリップ７、７で取り付けるほか、不図示であるが、ズボンやスカートのベルトにクリップ７で取付け、さらには服装の適宜箇所にクリップ７で取り付けることによって、身体の各部に本発明のクリップ式バイブレータ１を取り付けることが可能となる。また、操作ケース８のスイッチ１９の操作によって、振動の強弱や使用時間等を調整し、振動ケース６、６を作動させると、振動ケース６、６のバイブレーションが、例えば両肩や腰部のツボ等に伝達され、コリをほぐし、血行を促進することが可能となる。
【産業上の利用可能性】
【００２５】
本発明のクリップ式バイブレータは、小型に構成され、且つ携帯可能であって、首に掛けたストラップや身に着けた服装や腰に着けたベルト等に手軽に取り付けることにより、歩行や他の作業や娯楽を行ないながら、身体の各部をマッサージすることができるクリップ式バイブレータとして利用可能である。
【図面の簡単な説明】
【００２６】
【図１】(ａ)は本発明によるクリップ式バイブレータの平面図であり、（ｂ）は側面図である。
【図２】本発明によるクリップ式バイブレータの振動ケースの分解斜視図である。
【図３】（ａ）はクリップ式バイブレータの振動ケースの斜視図であり、（ｂ）は表側平面図であり、（ｃ）は側面図であり、（ｄ）は裏側平面図である。
【図４】（ａ）は単体のクリップ式バイブレータの操作ケースを組み立てた状態を示すミニプラグ側の側面図であり、（ｂ）は（ａ）の反対側側面図であり、（ｃ）は平面図である。
【図５】本発明によるクリップ式バイブレータのストラップを首に掛けた状態を示す使用者の正面図である。
【符号の説明】
【００２７】
１  クリップ式バイブレータ
２  モータ
３  回転軸
４  偏心錘
５  振動子
６  振動ケース
６ａ  モータ受部
６ｂ  モータ被せ部
７  クリップ
８  操作ケース
９ａ、９ｂ  電線
１０  リブ
１０ａ  凹形部
１１  ストラップ
１１ａ  ストラップ止め
１２  凹面
１３  化粧シール
１４  透明カバー
１５  軸
１６  スプリング
１７ａ  波形部
１７ｂ  波形部
１７ｃ  波形部
１８  貫通孔
１９  スイッチ
２０ａ、２０ｂ  ミニプラグ差込口
２１ａ、２１ｂ  ミニプラグ
【図１】
2009297613.tif 000003
【図２】
2009297613.tif 000004
【図３】
2009297613.tif 000005
【図４】
2009297613.tif 000006
【図５】
2009297613.tif 000007